(57)【要約】【課題】  液晶パネルのソース線の駆動信号の出力数が増加してもチップサイズの増大を抑えることができる液晶駆動用半導体集積回路（液晶ドライバ）およびそれを用いた液晶表示装置を提供する。【解決手段】  表示画像データを受けて液晶パネルの信号線に印加されるべき画像信号を生成し、所定タイミング信号に従って出力する液晶ドライバにおいて、液晶パネルの信号線を３の整数倍ごとに順次グループ化し、隣接する２つのグループに対して正、負一組の階調電圧選択用のデコーダと正、負一組の出力アンプを設ける。さらに、液晶パネルの各信号線に対応して画像信号を通過または遮断するスイッチを設け、該スイッチと上記出力アンプとの間および上記デコーダの前段にそれぞれ伝達する信号を素通りさせたり交差させたりする切替え回路を設けるようにした。【選択図】  図３
2007163913.tif 000002
【特許請求の範囲】
【請求項１】
複数の走査線と該走査線と交差するように配置された複数の信号線とを含む液晶表示パネルの前記信号線に印加されるべき電圧を表示画素データに応じて選択する階調電圧選択回路と、該階調電圧選択回路により選択された電圧に応じた電圧を出力する出力回路とを備え、
前記階調電圧選択回路と出力回路は、前記信号線の３の整数倍の数の信号線に対してそれぞれ１つずつ設けられるとともに、正極性の階調電圧を選択する階調電圧選択回路および正極性の電圧を出力する出力回路と負極性の階調電圧を選択する階調電圧選択回路および負極性の電圧を出力する出力回路とがペアで設けられ、
前記階調電圧選択回路の前段には、前記正極性の階調電圧を選択する階調電圧選択回路または負極性の階調電圧を選択する階調電圧選択回路へ表示画素データを選択的に伝達する切替え回路が設けられ、前記切替え回路は少なくとも２組の表示画素データを前記正極性と負極性の階調電圧選択回路へ伝送した後に切替えがなされるように構成されていることを特徴とする液晶表示駆動装置。
【請求項２】
前記液晶表示パネルの各信号線のそれぞれに対応した出力端子と、該出力端子のそれぞれに対応して設けられ前記出力回路の出力信号を通過もしくは遮断するスイッチと、前記出力回路と前記スイッチとの間に設けられ３の整数倍の数の前記スイッチへ前記正極性または負極性の出力回路の出力信号を選択的に供給する第２の切替え回路とを備え、該第２の切替え回路は前記切替え回路と連動して制御され、前記３の整数倍の数の前記スイッチはそれぞれ異なるタイミングで１つの走査線の選択期間内にいずれか１つが順次オン状態にされるように構成されていることを特徴とする請求項１に記載の液晶表示駆動装置。
【請求項３】
前記液晶表示パネルの各信号線のそれぞれに対応し設けられ前記出力回路の出力信号を通過もしくは遮断するスイッチを制御するための制御信号を出力するタイミング調整回路を備え、前記タイミング調整回路は前記３の整数倍の数の前記スイッチをそれぞれ異なるタイミングで１つの走査線の選択期間内にいずれか１つを順次オン状態にさせるように前記制御信号を生成することを特徴とする請求項２に記載の液晶表示駆動装置。
【請求項４】
前記切替え回路および前記スイッチは、１つの走査線の選択期間内に前記液晶表示パネルの互いに隣接する信号線に印加される電圧の極性が異なるように制御されることを特徴とする請求項２に記載の液晶表示駆動装置。
【請求項５】
前記切替え回路は、選択走査線の切り替えごとに前記信号線のそれぞれに印加されるべき電圧の極性を反転させるように制御されることを特徴とする請求項４に記載の液晶表示駆動装置。
【発明の詳細な説明】
【技術分野】
【０００１】
本発明は、液晶表示パネルを駆動する液晶表示駆動装置に適用して有効な技術に関し、例えばＴＦＴカラー液晶表示パネルのソース線を駆動する回路を備えた半導体集積回路化された液晶表示駆動装置に利用して有効な技術に関する。
【背景技術】
【０００２】
表示装置の１つとしての液晶表示装置は、液晶表示パネル（以下、液晶パネルと称する）と液晶表示制御装置（液晶コントローラ）や該制御装置の制御下で液晶パネルを駆動する表示駆動装置としての液晶表示駆動装置（液晶ドライバ）などにより構成されている。従来より、液晶パネルとしてはパッシブ型やアクティブマトリックス型など種々の形態のものが提案されている。
【０００３】
このうち、アクティブマトリックス型のひとつであるＴＦＴ液晶パネルは、複数のゲート線（走査線）と複数のソース線（信号線）とが交差するように配置され、各交点に画素となる電極と該電極に信号線上の電圧を印加するトランジスタが配置され、共通の対向電極との間に液晶が挟持された構造を有する。液晶ドライバは、かかる構造の液晶パネルのソース線にゲート線の選択動作に同期して画素信号を１ライン分ずつ順次印加するようにされる。
【０００４】
ＴＦＴ液晶パネルは液晶の劣化を防止するため交流駆動が行なわれる。この交流駆動の方式としては、１ドットごとに極性を反転させるドット反転方式と、１ゲート線ごとに極性を反転させるライン反転方式と、１ソース線ごとに極性を反転させるカラム反転方式とがある。
【０００５】
一方、液晶パネルは時代とともに大型化される傾向があり、これに応じて液晶ドライバもソース線を駆動する信号の出力数を増加させる必要がある。しかし、出力数の増加に対応して単に出力端子数を増加させると、各端子ごとに駆動アンプが必要になるため、液晶ドライバが形成される半導体チップのサイズが増大し、コストアップを招く。
【０００６】
そこで、図６に示されているように、液晶パネル上の信号線（ソース線）ＳＬに対応してそれぞれスイッチＳＷを設け、液晶ドライバ側から液晶パネル側へ時分割でソース線の駆動信号を出力し、それに同期してソース線上のスイッチＳＷをクロックφ１〜φ３で順次選択的にオンさせて、所望のソース線ＳＬに所望の駆動信号を印加させることでドライバ側の駆動アンプＡＭＰと諧調選択用デコーダＤＥＣの数を減らすようにした技術がある。かかるソース線の時分割駆動については、例えば特許文献１に記載されている。
【特許文献１】特開平１１−３２７５１８号公報
【発明の開示】
【発明が解決しようとする課題】
【０００７】
しかしながら、上記先願発明においては、ソース線の駆動信号を出力する出力端子ごとに設けられる駆動アンプおよびその前段の表示画素データをアナログ階調電圧に変換するデコーダとして、正極性の電圧と負極性の電圧を出力することができる回路が必要である。
【０００８】
このような正極性と負極性の両方の電圧を出力することができる回路は、正極性の電圧または負極性の電圧のいずれか一方の電圧を出力すればよい回路に比べて回路規模が大きく、消費電力も多くなる。液晶パネルは今後ますます大型化、高密度化されるので、従来の回路方式のままではパネルの大容量化に伴ってますます液晶ドライバチップのサイズが増大するおそれがある。
【０００９】
この発明の目的は、液晶パネルのソース線の駆動信号の出力数が増加してもチップサイズの増大を抑えることができる液晶表示駆動装置（液晶ドライバ）を提供することにある。
【００１０】
また、この発明は、液晶パネルのソース線の駆動信号の出力数が同じであればチップサイズを低減させることができる液晶表示駆動装置（液晶ドライバ）を提供する。
【００１１】
この発明の前記ならびにそのほかの目的と新規な特徴については、本明細書の記述および添付図面から明らかになるであろう。
【課題を解決するための手段】
【００１２】
本願において開示される発明のうち代表的なものの概要を説明すれば、下記のとおりである。
【００１３】
すなわち、表示データを受けて液晶パネルの信号線に印加されるべき画像信号を生成し、所定タイミング信号に従って出力する液晶ドライバにおいて、液晶パネルの信号線を３の整数倍ごとに順次グループ化し、隣接する２つのグループに対して正、負一組の階調電圧選択用のデコーダと正、負一組の出力アンプを設ける。さらに、液晶パネルの各信号線に対応して画像信号を通過または遮断するスイッチを設け、該スイッチと上記出力アンプとの間および上記デコーダの前段にそれぞれ伝達する信号を素通りさせたり交差させたりする切替え回路を設ける。そして、画像信号の出力タイミングを上記各グループ内の信号ごとに少しずつずらして時分割で出力するとともに、隣接する２つのグループの信号の半数は正極性の出力アンプからの出力が選択され、残りの半数は負極性の出力アンプからの出力が選択されるように上記スイッチと切替え回路を制御するようにしたものである。
【００１４】
上記した手段によれば、液晶パネルの信号線に印加されるべき画像信号を時分割で出力するため、出力アンプの数を減らすことができるとともに、正、負一組のデコーダの出力を隣接するグループ間で切り替えて使用するためデコーダの数も減らすことができる。
【００１５】
また、望ましくは、各グループ内の信号線のうち隣接する信号線には、１水平期間内に極性の異なる信号を出力させるように切替え回路と信号線上のスイッチを制御する。これにより、ドット反転もしくはカラム反転駆動が可能となり、信号線の駆動順序が分散されることによって、画面のちらつきを抑え、表示画質の低下を回避することができるようになる。
【００１６】
さらに、望ましくは、各グループ内の信号線を偶数番目の信号線と奇数番目の信号線に分けて、偶数番目の信号線（または奇数番目の信号線）に順次連続して出力アンプからの画像信号が印加され、その後奇数番目の信号線（または偶数番目の信号線）に順次連続して出力アンプからの画像信号が印加されるように切替え回路と信号線上のスイッチを制御する。これにより、切替え回路の切替え回数を減らして消費電力の増加を抑制することができる。
【００１７】
なお、本発明を適用する際に、駆動対象の液晶パネルがアモルファスシリコンを用いた液晶パネルである場合には、液晶ドライバ側に上記信号線上のスイッチを設け、駆動対象の液晶パネルがＬＴＰＳ（低温ポリシリコン）液晶パネルである場合には、液晶パネル側に上記信号線上のスイッチを設けるのが望ましい。アモルファスシリコンでは、スイッチング速度が速くオン抵抗の小さなスイッチを形成するのが困難であるためである。また、駆動対象の液晶パネルがＬＴＰＳ液晶パネルである場合に、液晶パネル側にスイッチを設けることによって、液晶ドライバの素子数を減らしてチップサイズの低減を図ることができる。
【発明の効果】
【００１８】
本願において開示される発明のうち代表的なものによって得られる効果を簡単に説明すれば下記のとおりである。
【００１９】
すなわち、本出願の発明に従うと、液晶パネルのソース線の駆動信号の出力数が増加してもチップサイズの増大を抑えることができる液晶表示駆動装置（液晶ドライバ）を実現することができる。
【００２０】
また、本出願の発明に従うと、液晶パネルのソース線の駆動信号の出力数が同じであればチップサイズを低減させることができる液晶表示駆動装置（液晶ドライバ）を実現することができる。
【発明を実施するための最良の形態】
【００２１】
以下、本発明の好適な実施例を図面に基づいて説明する。
【００２２】
図１は、本発明を適用した液晶ドライバのソース線駆動回路部と液晶パネルの一実施例を示す。本実施例の液晶ドライバは、駆動する液晶パネルがＬＴＰＳ液晶パネルである場合のものである。
【００２３】
ＬＴＰＳ液晶パネル２００は、複数の走査線（ゲート線）ＧＬ１，ＧＬ２……と、複数の信号線（ソース線）ＳＬ１，ＳＬ２，ＳＬ３……とが格子状に配設され、各交点に画素が設けられているドットマトリックス型のカラー液晶パネルとして構成されている。各画素は、走査線ＧＬにゲート端子が接続され信号線ＳＬにソース端子が接続された選択用ＭＯＳＦＥＴと、該ＭＯＳＦＥＴのドレイン端子とコモン電極としての対向電極との間に形成される画素容量とから構成される。
【００２４】
本実施例の液晶パネル１００においては、３本の信号線（ソース線）ごとに１つの外部端子Ｐ１，Ｐ２，Ｐ３……が設けられ、各外部端子と信号線（ソース線）ＳＬ１，ＳＬ２，ＳＬ３……との間には、液晶ドライバ１００から外部端子Ｐ１，Ｐ２，Ｐ３……に印加された信号を対応する信号線に伝達したり遮断したりするスイッチＳＷ１，ＳＷ２，ＳＷ３……が設けられている。
【００２５】
液晶ドライバ１００は、特に制限されるものでないが、公知の半導体製造技術により単結晶シリコンのような１個の半導体チップ上に半導体集積回路として構成される。図１には液晶ドライバＩＣのうちソース線駆動回路部のみが示されている。後に説明するように、本実施例の液晶ドライバＩＣにはソース線駆動回路以外の回路も設けられているが、図１に示されているソース線駆動回路を１つの半導体集積回路として構成し、他の回路は別個の半導体チップ上に構成することも可能である。
【００２６】
本実施例においては、表示画素データは、赤色（Ｒ）／緑色（Ｇ）／青色（Ｂ）の各色データがそれぞれ例えば８ビットで構成されているものとして、以下実施例が説明される。
【００２７】
本実施例の液晶ドライバのソース線駆動回路は、８ビットの入力表示画素データを順次取り込むラッチ回路ＬＡＴ１〜ＬＡＴ４００からなるデータラッチ部１１０を備える。また、ソース線駆動回路は、各ラッチ回路に取り込まれた表示画素データに応じて階調電圧生成回路１５０から供給される電圧の中から１つを選択することでディジタル信号をアナログ階調電圧に変換するデコーダ（セレクタ）ＤＥＣ１〜ＤＥＣ４００からなる階調電圧選択部１３０を備える。さらに、ソース線駆動回路は、変換されたアナログ電圧に応じた画像信号Ｙ１〜Ｙｎを生成して出力する出力アンプＡＭＰ１〜ＡＭＰ４００からなる出力部１４０を備える。
【００２８】
階調電圧生成回路１５０は、図示しない電源回路から供給される階調電圧Ｖ０〜Ｖ８，Ｖ９〜Ｖ１７を例えばラダー抵抗で分圧して正極性および負極性それぞれ２５６階調の電圧を生成する。
【００２９】
デコーダＤＥＣ１〜ＤＥＣ４００は２つが一組とされ、一方は正極性の電圧を、また他方は負極性の電圧を選択するように構成される。また、出力アンプＡＭＰ１〜ＡＭＰ４００も２つが一組とされ、一方は正極性の電圧を、また他方は負極性の電圧を出力するように構成される。この出力アンプＡＭＰ１〜ＡＭＰ４００は、ボルテージフォロワにより構成することができる。なお、本明細書において、負極性の電圧とは接地電位に対して負の電圧の場合もあるが、広義としては、液晶を交流駆動する際の液晶を交流駆動する際の液晶中心電位に対して低い側の電圧を意味する。
【００３０】
本実施例においては、各々対をなす一組のラッチ回路ＬＡＴi，ＬＡＴi+1と一組のデコーダＤＥＣi，ＤＥＣi+1との間に、ラッチ回路ＬＡＴi，ＬＡＴi+1にラッチされた表示画素データを交差または交差させずに次段のデコーダＤＥＣi，ＤＥＣi+1に供給する切替えゲートＣＧ１ｄ，ＣＧ２ｄ，……からなる切替え回路１２０が設けられている。
【００３１】
一方、液晶パネル２００側にも、各外部端子Ｐ１，Ｐ２，Ｐ３……と３本の信号線の結合ノードＮ１，Ｎ２，Ｎ３……との間に、外部端子に印加された信号を交差または交差させずに結合ノードＮ１，Ｎ２，Ｎ３……へ伝える切替えゲートＣＧ１ｐ，ＣＧ２ｐ，……が設けられている。切替えゲートＣＧ１ｄ，ＣＧ２ｄ，……とＣＧ１ｐ，ＣＧ２ｐ，……とは、制御信号ＣＳｄ，ＣＳｐによりほぼ同時に切替えが行なわれる。
【００３２】
スイッチＳＷ１，ＳＷ２，ＳＷ３……は、図２のような互いに位相の異なる３つのクロックφ１，φ２，φ３によって、順番に選択的にオン状態にされる。そして、液晶ドライバの出力アンプＡＭＰ１〜ＡＭＰ４００からは、各クロックφ１，φ２，φ３に同期して各色の駆動信号が赤色（Ｒ），青色（Ｂ），緑色（Ｇ）の順に出力される。
【００３３】
しかもこのとき、φ１，φ２で、正極性の赤色駆動信号（Ｒ＋）と青色駆動信号（Ｂ＋）は奇数グループＧＯ側へ、負極性の赤色駆動信号（Ｒ−）と青色駆動信号（Ｂ−）は偶数グループＧＥ側へ供給される。続いて、切替え回路ＣＧ１ａ，ＣＧ２ａ，……とＣＧ１ｂ，ＣＧ２ｂ，……が切り替わり、φ３に同期して緑色（Ｇ）の駆動信号が出力され、負極性の緑色駆動信号（Ｇ−）は奇数グループＧＯ側へ、正極性の緑色駆動信号（Ｇ＋）は偶数グループＧＥ側へ供給される。
【００３４】
このようにして、１水平期間１Ｈ内に各出力アンプから３個の信号の出力が終わると、再びスイッチＳＷ１，ＳＷ２，ＳＷ３……がクロックφ１，φ２，φ３によって、順番に選択的にオン状態にされる。そして、液晶ドライバの出力アンプＡＭＰ１〜ＡＭＰ４００からは、各クロックφ１，φ２，φ３に同期して各色の駆動信号が赤色（Ｒ），青色（Ｂ），緑色（Ｇ）の順に出力される。このとき、先ずφ１で、負極性の赤色駆動信号（Ｒ−）が奇数グループＧＯ側へ、正極性の赤色駆動信号（Ｒ＋）が偶数グループＧＥ側へ供給される。続いて、切替え回路が切り替わり、φ２，φ３に同期して正極性の青色駆動信号（Ｂ＋）と緑色駆動信号（Ｇ＋）が奇数グループＧＯ側へ、また負極性の青色駆動信号（Ｂ−）と緑色駆動信号（Ｇ−）が偶数グループＧＥ側へ供給される。
【００３５】
ソース線駆動回路からは、赤色（Ｒ），緑色（Ｇ），青色（Ｂ）の順に出力させることも可能であるが、上記のように赤色（Ｒ），青色（Ｂ），緑色（Ｇ）の順に各信号が出力されることにより、切替え回路の切替え回数を減らすことができる。
【００３６】
つまり、画素が赤色（Ｒ），緑色（Ｇ），青色（Ｂ）の順に配置されている液晶パネルに、信号線の駆動信号を赤色（Ｒ），緑色（Ｇ），青色（Ｂ）の順に出力させると毎回切替え回路を切替える必要がある。これに対し、実施例のように、青色（Ｂ），緑色（Ｇ）の順に各信号を出力させることにより、切替え回路ＣＧ１ｄ，ＣＧ２ｄ，……とＣＧ１ｐ，ＣＧ２ｐ，……を２ドットごとに切替えればよく、これにより切替え制御信号ＣＳｄ，ＣＳｐの周波数を下げ消費電力の増加を抑制することができる。
【００３７】
図３には、液晶ドライバ１００の全体の構成例が示されている。図３において、図１と同一の回路部には同一の符号を付して重複した説明は省略する。データラッチ部１１０の前段には、外部より供給される表示画像データを受けて所定のタイミングでデータラッチ部１１０へ送る表示データインタフェース１６０が設けられている。
【００３８】
また、液晶ドライバ１００には、階調電圧生成回路１５０に必要な電圧Ｖ０〜Ｖ１７等を生成する電源回路１７０、チップ全体を制御する制御回路１８０、制御に必要なコードやデータを設定するレジスタ部１９１、チップ内部の回路の動作タイミングを調整するタイミング調整回路１９２、液晶パネルのゲート駆動を制御する信号を出力するレベルシフト回路１９３を備える。レベルシフト回路１９３から液晶パネル２００に供給される信号の一つがコモン電極に印加される信号ＶＣＯＭである。
【００３９】
さらに、液晶ドライバ１００には、システム全体を制御するＭＰＵ（マイクロプロセッサ）などのシステム制御装置との間の信号のやりとりを行なうシリアルインタフェース１６２、外付けのＥＰＲＯＭ（不揮発性メモリ）の読み出し書き込みを行なうＥＰＲＯＭインタフェース１６３を備える。上記タイミング調整回路１９２は、上記データラッチ部１１０や切替え回路１２０、デコーダ部１３０、出力部１４０等に対して動作タイミングを指示するタイミング制御信号を生成して出力する機能を有する。
【００４０】
図４には、本発明を適用した液晶ドライバのソース線駆動回路部と液晶パネルの第２の実施例を示す。本実施例は、液晶パネルがアモルファス液晶パネルである場合のものである。図１の実施例との差異は、図１では液晶パネル２００側に設けられていたソース線に印加される信号を伝達したり遮断したりするスイッチＳＷ１，ＳＷ２，ＳＷ３……と、切替えゲートＣＧ１ｐ，ＣＧ２ｐ，……が液晶ドライバ１００側に設けられている点にある。それ以外は図１の実施例とほぼ同様であるので、詳しい説明は省略する。
【００４１】
図５には、本発明を適用した液晶ドライバのソース線駆動回路部と液晶パネルの第３の実施例を示す。本実施例は、液晶パネルがＬＴＰＳ液晶パネルである場合のものである。図１の実施例との差異は、図１の実施例では信号線を３本ずつグループ化して３時分割で信号線を駆動しているのに対し、本実施例では、信号線を６本ずつグループ化して６時分割で信号線を駆動できるように構成されている。
【００４２】
この実施例では、まず第１のクロックφ１によりスイッチＳＷ１とＳＷ８がオンされて、正極性の赤色駆動信号（Ｒ＋）が奇数グループＧＯ側の信号線ＳＬ１へ、負極性の緑色駆動信号（Ｇ−）が偶数グループＧＥ側の信号線ＳＬ８へ供給される。次に、第２のクロックφ２によりスイッチＳＷ３とＳＷ１０がオンされて、正極性の青色駆動信号（Ｂ＋）が奇数グループＧＯ側の信号線ＳＬ３へ、負極性の赤色駆動信号（Ｒ−）が偶数グループＧＥ側の信号線ＳＬ１０へ供給される。
【００４３】
続いて、第３のクロックφ３によりスイッチＳＷ５とＳＷ１２がオンされて、正極性の緑色駆動信号（Ｇ＋）が奇数グループＧＯ側の信号線ＳＬ５へ、負極性の青色駆動信号（Ｂ−）が偶数グループＧＥ側の信号線ＳＬ１２へ供給される。次に、切替えゲートＣＧｄ，ＣＧｐが切替えられて、第４のクロックφ４によりスイッチＳＷ２とＳＷ７がオンされて、負極性の緑色駆動信号（Ｇ−）が奇数グループＧＯ側の信号線ＳＬ２へ、正極性の赤色駆動信号（Ｒ＋）が偶数グループＧＥ側の信号線ＳＬ７へ供給される。
【００４４】
その後、第５のクロックφ５によりスイッチＳＷ４とＳＷ９がオンされて、負極性の赤色駆動信号（Ｒ−）が奇数グループＧＯ側の信号線ＳＬ４へ、正極性の赤色駆動信号（Ｒ＋）が偶数グループＧＥ側の信号線ＳＬ９へ供給される。次に、第６のクロックφ６によりスイッチＳＷ６とＳＷ１１がオンされて、負極性の青色駆動信号（Ｂ−）が奇数グループＧＯ側の信号線ＳＬ６へ、正極性の緑色駆動信号（Ｇ＋）が偶数グループＧＥ側の信号線ＳＬ１１へ供給される。
【００４５】
その後、ラインすなわち選択ゲート線が切り替えられて、クロックφ１〜φ６により上記動作を繰り返す。ちなみに次のラインの最初のクロックφ１で信号線ＳＬ１へ供給されるのは負極性の赤色駆動信号（Ｒ−）である。これにより、パネルはドット反転方式で駆動されることとなる。また、第１の実施例と異なり、ラインが変わる際に切替えゲートＣＧｄ，ＣＧｐの切替えが不要であるため、切替えゲートＣＧｄ，ＣＧｐの切替え回数も少なくなる。
【００４６】
本実施例においては、第１の実施例と同様に、信号線を時分割で駆動しているため、出力アンプとデコーダの数を減らすことができるとともに、正、負一組の出力アンプと正、負一組の諧調選択用デコーダを信号線の２つのグループＧＯ，ＧＥで共用しているため、それぞれの出力アンプと諧調選択用デコーダを正極性専用または負極正専用の回路として設計すればよく、回路を簡略化しチップサイズを低減することができる。また、隣接する信号線が連続して駆動されることがないので、表示のちらつきを減らすことができる。
【００４７】
なお、図４の実施例のように、液晶パネルがアモルファスパネルである場合にも、切替えゲートＣＧｐと信号線ＳＬに対応したスイッチＳＷをドライバ２００側に設けることで本実施例の方式を適用することができる。また、実施例ではドット反転駆動する場合を説明したが、前記実施例のようにラインが変わるごと各信号線の極性を反転する代わりに、フレームが変わる度に各信号線の極性を前のフレームのときの極性と逆の極性に変えることでカラム反転駆動させることも可能である。
【００４８】
以上本発明者によってなされた発明を実施例に基づき具体的に説明したが、本発明は上記実施例に限定されるものではなく、その要旨を逸脱しない範囲で種々変更可能であることはいうまでもない。例えば、前記実施例では、液晶パネルの信号線を３本または６本ごとにグループ化した場合について説明したが、それに限定されるものでなく、９本や１２本等３の整数倍の本数ごとにグループ化することで本発明を適用することができる。
【００４９】
また、前記実施例では、出力アンプとしてボルテージフォロワを用いているが、差動アンプ等であっても良い。さらに、前記実施例では、表示データを外部から受け取る液晶ドライバＩＣを示したが、チップ内部に表示データを格納する表示ＲＡＭを有する液晶表示コントローラなどにも適用可能である。
【産業上の利用可能性】
【００５０】
以上の説明では主として本発明者によってなされた発明をその背景となった利用分野であるＴＦＴカラー液晶パネルを駆動する液晶ドライバに適用したものについて説明したが、本発明はそれに限定されるものでなく、ＴＦＴ以外のカラー液晶パネルのほか、白黒表示の液晶パネルを駆動する液晶ドライバにも適用することができる。また、本発明の液晶ドライバは、携帯電話機用の液晶パネルのような小型の液晶パネルは勿論のこと、テレビジョン用液晶ディスプレイやパーソナルコンピュータ、ノートパソコンの液晶モニタ等大型の液晶パネルを駆動する場合にも適用することができる。
【図面の簡単な説明】
【００５１】
【図１】本発明を適用した液晶ドライバのソース線駆動回路部と液晶パネルの一実施例を示す回路構成図である。
【図２】図１の実施例の液晶ドライバおよび液晶パネルにおける各部の信号のタイミングを示すタイミングチャートである。
【図３】図１に示されている液晶ドライバ全体の構成例を示したブロック図である。
【図４】本発明を適用した液晶ドライバのソース線駆動回路部と液晶パネルの第２の実施例を示す回路構成図である。
【図５】本発明を適用した液晶ドライバのソース線駆動回路部と液晶パネルの第３の実施例を示す回路構成図である。
【図６】従来の信号線時分割駆動方式の液晶ドライバのソース線駆動回路部と液晶パネルの構成例を示す回路図である。
【符号の説明】
【００５２】
１００  液晶表示駆動装置（液晶ドライバＩＣ）
１１０  データラッチ部
１２０  切替え回路
１３０  階調電圧選択部
１４０  出力部
１５０  階調電圧生成回路
２００  液晶パネル
ＳＬ    信号線（ソース線）
ＧＬ    走査線（ゲート線）
ＤＥＣ  階調電圧選択用デコーダ（セレクタ）
ＡＭＰ  出力アンプ
ＣＧｄ，ＣＧｐ  切替えゲート
【図１】
2007163913.tif 000003
【図２】
2007163913.tif 000004
【図３】
2007163913.tif 000005
【図４】
2007163913.tif 000006
【図５】
2007163913.tif 000007
【図６】
2007163913.tif 000008